(57)【特許請求の範囲】
【請求項１】
ディスク状の記録媒体に対してヘッドを移動自在に支持しているとともに所定の退避位置と上記記録媒体上の情報処理位置とへ移動可能なアクチュエータを、外力を受けた際、上記所定の退避位置へラッチするアクチュエータのイナーシャラッチ機構において、
上記アクチュエータと係合してアクチュエータを退避位置にラッチするラッチ位置と、上記アクチュエータから離間してラッチを解除する解除位置と、の間を第１枢軸の周りで回動自在に設けられたラッチ部材と、
前記第１枢軸と平行に延びる第２枢軸の周りで回動自在に設けられているとともに、前記ラッチ部材の一側と係合可能な第１押圧部と前記ラッチ部材の他側と係合可能な第２押圧部とを有し、作用する外力の方向に応じて時計方向あるいは反時計方向に回動し、前記ラッチ部材をラッチ位置に押圧する駆動部材と、
上記ラッチ部材が上記解除位置からラッチ位置に移動した際、ラッチ位置における上記ラッチ部材の衝撃を減衰し、ラッチ位置から解除位置方向への跳ね返りを防止する衝撃吸収手段と、
を備えたことを特徴とするアクチュエータのイナーシャラッチ機構。
【請求項２】
上記ヘッドアクチュエータに設けられラッチ位置に移動した上記ラッチ部材と係合する係合部を備え、
上記衝撃吸収手段は、上記係合部に設けられ上記ラッチ位置に移動した上記ラッチ部材に当接する弾性部材を備えていることを特徴とする請求項１に記載のアクチュエータのイナーシャラッチ機構。
【請求項３】
上記ヘッドアクチュエータに設けられラッチ位置に移動した上記ラッチ部材と係合する係合部を備え、
上記衝撃吸収手段は、上記ラッチ部材に設けられ、上記ラッチ位置において上記係合部に当接する弾性部材を備えていることを特徴とする請求項１に記載のアクチュエータのイナーシャラッチ機構。
【請求項４】
上記ラッチ部材の移動を規制する規制部を備え、
上記衝撃吸収手段は、上記規制部に設けられ上記ラッチ位置に移動したラッチ部材に当接する弾性部材を備えていることを特徴とする請求項１に記載のアクチュエータのイナーシャラッチ機構。
【請求項５】
ディスク状の記録媒体と、
上記記録媒体を支持および回転駆動する駆動手段と、
上記記録媒体に対して情報処理を行うヘッドと、
基台上に設けられ上記ヘッドを上記記録媒体に対して移動自在に支持しているとともに、上記記録媒体の外周側に位置した所定の退避位置と上記記録媒体上の情報処理位置とへ移動可能なアクチュエータと、
前記アクチュエータが退避位置に移動した際、前記ヘッドを前記記録媒体から離間し位置に保持するランプロード機構と、
外力を受けた際、上記退避位置に移動した上記アクチュエータをラッチするイナーシャラッチ機構と、を備え、
上記イナーシャラッチ機構は、
上記アクチュエータと係合してアクチュエータを退避位置にラッチするラッチ位置と、上記アクチュエータから離間してラッチを解除する解除位置と、の間を第１枢軸の周りで回動自在に設けられたラッチ部材と、
前記第１枢軸と平行に延びる第２枢軸の周りで回動自在に設けられているとともに、前記ラッチ部材の一側と係合可能な第１押圧部と前記ラッチ部材の他側と係合可能な第２押圧部とを有し、作用する外力の方向に応じて時計方向あるいは反時計方向に回動し、前記ラッチ部材をラッチ位置に押圧する駆動部材と、
上記ラッチ部材が上記解除位置からラッチ位置に移動した際、ラッチ位置における上記ラッチ部材の衝撃を減衰し、ラッチ位置から解除位置方向への跳ね返りを防止する衝撃吸収手段と、
を備えていることを特徴とする情報記録再生装置。
【請求項６】
上記イナーシャラッチ機構は、上記ヘッドアクチュエータに設けられラッチ位置に移動した上記ラッチ部材と係合する係合部を備え、
上記衝撃吸収手段は、上記係合部に設けられ上記ラッチ位置に移動した上記ラッチ部材に当接する弾性部材を備えていることを特徴とする請求項５に記載の情報記録再生装置。
【請求項７】
上記ヘッドアクチュエータに設けられラッチ位置に移動した上記ラッチ部材と係合する係合部を備え、
上記衝撃吸収手段は、上記ラッチ部材に設けられ、上記ラッチ位置において上記係合部に当接する弾性部材を備えていることを特徴とする請求項５に記載の情報記録再生装置。
【請求項８】
上記イナーシャラッチ機構は、上記ラッチ部材の移動を規制する規制部を備え、
上記衝撃吸収手段は、上記規制部に設けられ上記ラッチ位置に移動したラッチ部材に当接する弾性部材を備えていることを特徴とする請求項５に記載の情報記録再生装置。
【請求項９】
上記ラッチ部材は、第１枢軸の回りで、上記ラッチ位置と解除位置との間を回動自在に設けられ、
上記イナーシャラッチ機構は、第２枢軸の回りで回動自在に設けられ、作用する外力に応じて、上記第２枢軸の回りで回動し上記ラッチ部材をラッチ位置に押圧する駆動部材を備えていることを特徴とする請求項５ないし８のいずれか１項に記載の情報記録再生装置。
【発明の詳細な説明】
【０００１】
【発明の属する技術分野】
この発明は、アクチュエータのイナーシャラッチ機構、およびこれを備えた情報記録再生装置に関する。
【０００２】
【従来の技術】
近年、パーソナルコンピュータ等の電子機器においては、大容量の情報記録再生装置として、例えば、磁気ディスク装置が広く用いられている。一般に、磁気ディスク装置は、ケース内に配設された磁気ディスクと、磁気ディスクを支持および回転駆動するスピンドルモータと、磁気ヘッドを支持したヘッドクチュエータと、ヘッドアクチュエータを駆動するボイスコイルモータと、基板ユニット等とを備えて構成されている。
【０００３】
また、近年、携帯可能な小型のパーソナルコンピュータが普及しつつあり、この種のパーソナルコンピュータに搭載される磁気ディスク装置は、携帯時における衝撃等に対する信頼性の向上が求められている。
【０００４】
そこで、磁気ディスク装置の非作動時に磁気ヘッドを保持する機構として、ランプロード機構を備えたものが提供されている。このランプロード機構は、磁気ディスクの外側に設けられたランプを備え、磁気ディスク装置の非作動時、ヘッドアクチュエータは磁気ディスクの外周に位置した退避位置まで回動され、サスペンションがランプに乗り上げる。それにより、磁気ヘッドは、磁気ディスク表面から離間した退避位置に保持され、衝撃を受けた際に磁気ディスクとの衝突が防止される。
【０００５】
更に、この種の磁気ディスク装置として、耐衝撃性を一層高めるため、イナシャラッチ機構を備えたものが提供されている。このイナシャラッチ機構は、非作動時、磁気ディスク装置に衝撃が作用すると、ヘッドアクチュエータと係合してその回動を規制し、ヘッドアクチュエータを退避位置に保持する。
【０００６】
【発明が解決しようとする課題】
一般に、イナーシャラッチ機構は、通常状態では全くラッチ動作を行わず、外部から衝撃加速度が作用した場合のみ動作する。すなわち、外部からの衝撃加速度によりヘッドアクチュエータが退避位置から移動しようとする際、例えば、イナーシャラッチ機構のラッチ爪が慣性力によって作動し、ヘッドアクチュエータと係合してラッチし、その移動を拘束する。
【０００７】
しかしながら、このような構成のイナーシャラッチ機構において、ラッチ爪がヘッドアクチュエータあるいはその動作範囲を規制する他の部材に係合する際、ヘッドアクチュエータあるいは上記部材に衝突して跳ね返り、ラッチ位置からはずれてしまう場合がある。この場合、ヘッドアクチュエータを退避位置にラッチすることができず、磁気ディスクや磁気ヘッドの損傷を招く恐れがある。
【０００８】
この発明は以上の点に鑑みなされたもので、その目的は、アクチュエータを確実にラッチすることができ信頼性の高いアクチュエータのイナーシャラッチ機構、およびこれを備えた情報記録再生装置を提供することにある。
【０００９】
【課題を解決するための手段】
上記目的を達成するため、この発明に係るアクチュエータのラッチ機構は、ディスク状の記録媒体に対してヘッドを移動自在に支持しているとともに所定の退避位置と上記記録媒体上の情報処理位置とへ移動可能なアクチュエータを、外力を受けた際、上記所定の退避位置へラッチするアクチュエータのイナーシャラッチ機構において、
上記アクチュエータと係合してアクチュエータを退避位置にラッチするラッチ位置と、上記アクチュエータから離間してラッチを解除する解除位置と、の間を第１枢軸の周りで回動自在に設けられたラッチ部材と、前記第１枢軸と平行に延びる第２枢軸の周りで回動自在に設けられているとともに、前記ラッチ部材の一側と係合可能な第１押圧部と前記ラッチ部材の他側と係合可能な第２押圧部とを有し、作用する外力の方向に応じて時計方向あるいは反時計方向に回動し、前記ラッチ部材をラッチ位置に押圧する駆動部材と、上記ラッチ部材が上記解除位置からラッチ位置に移動した際、ラッチ位置における上記ラッチ部材の衝撃を減衰し、ラッチ位置から解除位置方向への跳ね返りを防止する衝撃吸収手段と、を備えていることを特徴としている。
【００１０】
また、この発明に係る情報記録再生装置は、ディスク状の記録媒体と、上記記録媒体を支持および回転駆動する駆動手段と、上記記録媒体に対して情報処理を行うヘッドと、
基台上に設けられ上記ヘッドを上記記録媒体に対して移動自在に支持しているとともに、上記記録媒体の外周側に位置した所定の退避位置と上記記録媒体上の情報処理位置とへ移動可能なアクチュエータと、前記アクチュエータが退避位置に移動した際、前記ヘッドを前記記録媒体から離間し位置に保持するランプロード機構と、外力を受けた際、上記退避位置に移動した上記アクチュエータをラッチするイナーシャラッチ機構と、を備え、
上記イナーシャラッチ機構は、上記アクチュエータと係合してアクチュエータを退避位置にラッチするラッチ位置と、上記アクチュエータから離間してラッチを解除する解除位置と、の間を第１枢軸の周りで回動自在に設けられたラッチ部材と、前記第１枢軸と平行に延びる第２枢軸の周りで回動自在に設けられているとともに、前記ラッチ部材の一側と係合可能な第１押圧部と前記ラッチ部材の他側と係合可能な第２押圧部とを有し、作用する外力の方向に応じて時計方向あるいは反時計方向に回動し、前記ラッチ部材をラッチ位置に押圧する駆動部材と、上記ラッチ部材が上記解除位置からラッチ位置に移動した際、ラッチ位置における上記ラッチ部材の衝撃を減衰し、ラッチ位置から解除位置方向への跳ね返りを防止する衝撃吸収手段と、を備えたことを特徴としている。
【００１１】
上記のように構成されたイナーシャラッチ機構および情報記録再生装置によれば、外力として、例えば、大きな外部衝撃がアクチュエータに作用した場合、イナーシャラッチ機構のラッチ部材は、解除位置からラッチ位置へ移動してアクチュエータと係合し、アクチュエータを退避位置にラッチする。この際、ラッチ位置におけるラッチ部材の衝撃は、衝撃吸収手段によって減衰される。そのため、ラッチ部材は、ラッチ位置から解除位置方向への跳ね返りが防止され、アクチュエータを確実にラッチすることができる。
【００１２】
衝撃吸収手段としては、アクチュエータの係合部、ラッチ部材、ラッチ部材の移動を規制する規制部の少なくとも１個所に設けられた弾性部材を用いる。
【００１３】
【発明の実施の形態】
以下図面を参照しながら、この発明を磁気ディスク装置に適用した実施の形態について詳細に説明する。
【００１４】
図１に示すように、磁気ディスク装置は、上面の開口した矩形箱状のケース１０と、複数のねじによりケースにねじ止めされてケースの上端開口を閉塞する図示しないトップカバーと、を有している。
【００１５】
ケース１０内には、記録媒体としての磁気ディスク１６、この磁気ディスクを支持および回転させる駆動手段としてのスピンドルモータ１２、磁気ディスクに対して情報の書き込み、読み出しを行なう複数の磁気ヘッド、これらの磁気ヘッドを磁気ディスク１６に対して移動自在に支持したヘッドアクチュエータ１８、ヘッドアクチュエータを回動および位置決めするボイスコイルモータ（以下ＶＣＭと称する）２０、磁気ヘッドが磁気ディスクの最外周の退避位置に移動した際、磁気ヘッドを磁気ディスクから離間した位置に保持するランプロード機構２４、ヘッドクチュエータを退避位置に保持するイナーシャラッチ機構７０、およびヘッドＩＣ等を有する基板ユニット６０が収納されている。
【００１６】
磁気ディスク１６は、直径６５ｍｍ（２．５インチ）に形成され、上面および下面に磁気記録層を有している。磁気ディスク１６は、スピンドルモータ１２のハブ１４に同軸的に嵌合されているとともにクランプばね１３により保持されている。そして、磁気ディスク１６は、スピンドルモータ１２によって所定の速度で回転駆動される。
【００１７】
また、ヘッドアクチュエータ１８は、基台として機能するケース１０の底壁上に固定された軸受組立体２６と、軸受組立体に取り付けられているとともに軸受組立体から延出した２本のアーム２８（一方のみを図示する）と、軸受組立体に取り付けられアーム２８と反対方向に延出した支持フレーム３４と、を備えている。各アーム２８の延出端には、弾性変形可能な細長い板状のサスペンション３０が固定され、サスペンションの先端には、図示しないジンバル部を介して磁気ヘッド３２が取り付けられている。
【００１８】
そして、ヘッドアクチュエータ１８は、軸受組立体２６を中心として回動自在であり、サスペンション３２を介して２本のアーム２８に支持された一対の磁気ヘッド３２は、アームおよびサスペンションと一体的に回動し、磁気ディスク１６上の任意の情報処理位置および後述する退避位置へ移動可能となっている。
なお、各磁気ヘッド３２は、フレキシブルケーブル６２を介して、基板ユニット６０に電気的に接続されている。
【００１９】
一方、ヘッドクチュエータ１８の支持フレーム３４は合成樹脂により形成され、この支持フレームには、ボイスコイル３６が一体的に埋め込まれている。このボイスコイル３６は、ケース１０の底壁上に固定された一対のヨーク４０（一方のみ図示する）間に位置し、これらのヨーク、および一方のヨークに固定された４２とともにＶＣＭ２０を構成している。そして、ボイスコイル５２に通電することにより、ヘッドアクチュエータ１８が回動し、磁気ヘッド３２は磁気ディスク１６の所望のトラック上に移動および位置決めされる。
【００２０】
ランプロード機構２４は、ケース１０の底壁に設けられているとともに磁気ディスク１６の外周側に位置したランプ５０と、ヘッドアクチュエータ１８の２つのサスペンション３０からそれぞれ突出したタブ５２と、を備えている。ランプ５０は、係合部として機能するタブ５２をそれぞれガイドおよび支持する２つのガイド面（一方のみ図示する）５４を有している。これらのガイド面５４は、それぞれ対応するサスペンション３０のレベルに合わせて配置され、磁気ディスク１６の半径方向に沿って、磁気ディスクの外周縁近傍まで延びているとともに、タブ５２の移動経路上に配置されている。また、各ガイド面には、タブ５２を所定位置に保持するための複数の傾斜部が形成されている。
【００２１】
一方、図１および図２に示すように、非作動時、磁気ディスク装置に衝撃等の外力が加わった際にヘッドアクチュエータ１８をラッチするイナーシャラッチ機構７０は、ヘッドアクチュエータ１８の支持フレーム３４から外方、すなわち、軸受組立体２６に対して放射方向に突出した係合突起３７を備えている。この発明における係合部として機能するこの係合突起３７には、例えば、合成ゴムのような粘弾性材からなるキャップ状の弾性部材３８が被されている。
【００２２】
また、イナーシャラッチ機構７０は、ヘッドアクチュエータ１８の支持フレーム３４の近傍で、ヨーク４０上に設けられたラッチ部材７２および駆動部材７４を備えている。ラッチ部材７２は、ヨーク４０の上面とほぼ平行に延びた細長いアーム状に形成され、ヨーク表面に対して垂直に延びる第１枢軸７５の周りで回動自在に支持されている。また、ラッチ部材７２は、第１枢軸７５に対して、支持フレーム３４の係合突起３７側に位置したラッチ爪７７および回動規制突起７８と、第１枢軸７５に対してラッチ爪７７と反対側い位置したフック部８０と、を有している。第１枢軸７５とラッチ爪７７との距離は、第１枢軸とフック部８０との距離に比較して充分長く形成されている。
【００２３】
そして、ラッチ部材７２は、第１枢軸７５の周りで、図示の解除位置と、ラッチ爪７７が弾性部材３８を介して係合突起３７と係合可能なラッチ位置と、の間を回動可能となっている。また、図１および図３に示すように、回動規制突起７８は、ヨーク４０に形成され規制部として機能する規制窓４１内に挿入され、この規制窓によって、その回動量が規制されている。ケース１０に衝撃等の外力が作用した際、ラッチ部材７２は、慣性力により解除位置からラッチ位置に回動し、それにより、ラッチ爪７７がヘッドアクチュエータ１８の係合突起３７と係合してヘッドアクチュエータをラッチする。
【００２４】
一方、図１および図２に示すように、駆動部材７４は、ヨーク４０の上面とほぼ平行に延びた細長いアーム状に形成され、ラッチ部材７２に対し、ヘッドアクチュエータ１８と反対側に隣接対向して配置されている。また、駆動部材７４は、ヨーク４０表面に対して垂直に延びる第２枢軸７６の周りで回動自在に支持されている。第２枢軸７６は、駆動部材７４の一端部近傍に位置しているとともに、ラッチ部材７２のラッチ爪７７に隣接して設けられている。
【００２５】
駆動部材７４の他端部には、ラッチ部材７２とヘッドアクチュエータ１８との間に位置しラッチ部材のフック部８０と係合可能な第１押圧ピン８２が形成されている。更に、駆動部材７４において、第２枢軸７６と第１押圧ピン８２との中間部には第２押圧ピン８４が形成され、この第２押圧ピンは、ヘッドアクチュエータ１８の反対側でラッチ部材７２と対向しているとともに、ラッチ部材の第１枢軸７５に対して、第１押圧ピン８２の反対側に位置している。
【００２６】
そして、ケース１０に衝撃等の外力が作用した際、駆動部材７４は外力の作用方向に応じて、第２枢軸７６の周りで時計方向あるいは反時計方向に回動し、第１あるいは第２押圧ピン８２、８４を介してラッチ部材７２を押圧しラッチ位置方向へ回動させる。
【００２７】
上記のように構成された磁気ディスク装置によれば、通常の動作時、ＶＣＭ２０によってヘッドアクチュエータ１８を回動することにより、磁気ヘッド３２は磁気ディスク１６の所望のトラック上に移動され、磁気ディスクに対して情報の記録あるいは再生を行う。
【００２８】
また、図１に示すように、磁気ディスク装置の非動作状態に移行する際、ＶＣＭ２０によってヘッドアクチュエータ１８が作動位置から図示の退避に向かって回動されると、磁気ヘッド３２は磁気ディスク１６の内周側から最外周に向かって移動する。そして、磁気ヘッド３２が磁気ディスク１６の外周縁近傍まで移動すると、各サスペンション３０から延出したタブ５２が磁気ディスク１６の外周縁から外方へ突出し、それぞれランプ５０の対応するガイド面５４上に乗り上げる。それにより、磁気ヘッド３２は、磁気ディスク１６表面から離間した状態にアンロードされる。また、各タブ５２は、ガイド面５４に形成された傾斜面により移動が規制され、ヘッドアクチュエータ１８は退避位置に保持される。
【００２９】
一方、磁気ディスク装置に非動作状態において、例えば、ケース１０に外部衝撃等の大きな外力が作用すると、慣性力によりイナーシャラッチ機構７０が作動しヘッドアクチュエータ１８をラッチする。それにより、ヘッドアクチュエータ１８が退避位置から磁気ディスク１６側へ回動することを防止する。
【００３０】
詳細に述べると、図４に示すように、例えばケース１０に衝撃が作用すると、イナーシャラッチ機構７０のラッチ部材７２は慣性力により単独で解除位置からラッチ位置に回動する。それにより、ラッチ爪７７が、弾性部材３８を介してヘッドアクチュエータ１８の係合突起３７に係合し、ヘッドアクチュエータの回動を規制する。あるいは、慣性力により、駆動部材７４が第２枢軸７６の周りで反時計方向に回動し、第１押圧ピン８２がラッチ部材７２のフック部８０を押圧する。それにより、ラッチ部材７２がラッチ位置に回動し、ヘッドアクチュエータ１８をラッチする。
【００３１】
また、図５に示すように、異なる方向の衝撃が作用すると、慣性力により、駆動部材７４が第２枢軸７６の周りで時計方向に回動し、第２押圧ピン８４によりラッチ部材７２を押圧する。それにより、ラッチ部材７２がラッチ位置に回動し、ヘッドアクチュエータ１８をラッチする。
【００３２】
このように、ラッチ部材７２によってヘッドアクチュエータ１８をラッチする際、ラッチ部材７２のラッチ爪７７は、弾性部材３８を介してヘッドアクチュエータ１８に衝突し係合突起３７と係合する。そのため、ラッチ爪７７がヘッドアクチュエータ１８に衝突する際の衝撃を弾性部材３８によって減衰し、ラッチ部材７２のラッチ位置から解除位置方向への跳ね返えりを防止することができる。これにより、ラッチ部材７２はラッチ位置に充分長く留まり、ヘッドアクチュエータ１８を確実にラッチすることができる。
【００３３】
なお、磁気ディスク装置に作用する外力が解除されると、ラッチ機構７０は図示しない復帰手段により、ラッチ解除状態に復帰され、ラッチ部材７２は解除位置に維持される。
【００３４】
以上のように構成された本実施の形態によれば、ラッチ時にラッチ爪７７が係合するヘッドアクチュエータ１８の係合突起３７に弾性部材３８を設けることにより、ラッチ部材７２の跳ね返りを防止することができ、確実なラッチ動作が可能な信頼性の高いイナーシャラッチ機構およびこれを備えた磁気ディスク装置を提供することができる。
【００３５】
なお、この発明は、上述した実施の形態に限定されることなく、この発明の範囲内で種々変形可能である。例えば、図６に示すように、ヘッドアクチュエータ１８の係合突起３７側に代えて、ラッチ部材７２のラッチ爪７７に、合成ゴムからなるキャップ状の弾性部材８８を被せて配置する構成としてもよい。この構成においても、ラッチ部材７２が解除位置からラッチ位置に移動した際、ラッチ爪７７は弾性部材８８を介してアクチュエータ１８の係合突起３７に当接する。そのため、ラッチ動作時、ラッチ部材７２に作用する衝撃を弾性部材８８によって減衰し、前述した実施例と同様の作用効果を得ることができる。
【００３６】
また、図７に示すように、ラッチ部材７２の移動範囲を規制する規制窓４１に弾性部材４５を設け、ラッチ部材７２の跳ね返りを防止する構成としてもよい。すなわち、本実施の形態によれば、弾性部材４５は合成ゴム等によって板状に形成され、規制窓４１の内、ラッチ部材７２のラッチ位置側に設けられている。そして、ラッチ動作において、ラッチ部材７２が解除位置からラッチ位置に回動すると、ラッチ爪７７がヘッドアクチュエータ１８の係合突起３７と係合するとともに、ラッチ部材７２の回動規制突起７８が弾性部材４５に当接する。そのため、ラッチ動作時、ラッチ部材７２に作用する衝撃を弾性部材４５によって減衰し、前述した実施例と同様の作用効果を得ることができる。
【００３７】
なお、図６および図７に示した各実施の形態において、他の構成は前述した実施の形態と同値であり、同一の部分には同一の参照符号を付してその詳細な説明を省略する。
その他、この発明は、磁気ディスク装置に限らず、光ディスク装置等の他の情報記録再生装置にも適用可能である。
【００３８】
【発明の効果】
以上詳述したように、この発明によれば、ラッチ時におけるラッチ部材の衝撃を減衰して解除位置方向への跳ね返りを防止し、アクチュエータを確実にラッチすることが可能な信頼性の高いアクチュエータのイナーシャラッチ機構、およびこれを備えた情報記録再生装置を提供することができる。
【図面の簡単な説明】
【図１】この発明の実施の形態に係る磁気ディスク装置を示す平面図。
【図２】上記磁気ディスク装置に組込まれたイナーシャラッチ機構を示す斜視図。
【図３】上記イナーシャラッチ機構のラッチ部材と規制窓とを示す斜視図。
【図４】上記イナーシャラッチ機構のラッチ動作を示す平面図。
【図５】上記イナーシャラッチ機構のラッチ動作を示す平面図。
【図６】この発明の他の実施の形態に係る磁気ディスク装置のイナーシャラッチ機構を示す斜視図。
【図７】この発明の更に他の実施の形態に係る磁気ディスク装置のイナーシャラッチ機構を示す平面図。
【符号の説明】
１０…ケース
１２…スピンドルモータ
１６…磁気ディスク
１８…ヘッドアクチュエータ
２０…ボイスコイルモータ
２４…ランプロード機構
３２…磁気ヘッド
３７…係合突起
３８、４５、８８…弾性部材
４１…規制窓
５０…ランプ
７０…イナーシャラッチ機構
７２…ラッチ部材
７４…駆動部材
７５…第１枢軸
７６…第２枢軸
７７…ラッチ爪
７８…回動規制突起
【図１】
0003798565.tif 000002
【図２】
0003798565.tif 000003
【図３】
0003798565.tif 000004
【図４】
0003798565.tif 000005
【図５】
0003798565.tif 000006
【図６】
0003798565.tif 000007
【図７】
0003798565.tif 000008